(57)【要約】【課題】通話中の撮影操作の操作性を著しく向上させること。【解決手段】二つ折り可能な無線通信端末において、本体部に対して蓋部を着脱自在に分離できるようにすると共に、前記本体部と前記蓋部との間で信号を近接無線通信手段により常時送受できるようにする。前記本体部から分離した蓋部の先端に配置される撮像手段を蓋部だけを持って被写体に向け、これにより撮像して得た画像データを前記近接無線通信手段により前記本体部に転送し、前記本体部内蔵の無線通信手段により相手先に送信し、同時に、前記本体部で前記相手先と通話することにより、通話中の撮影操作の操作性を著しく向上させることができる。【選択図】      図１
2004165705.tif 000002
【特許請求の範囲】
【請求項１】
本体部と蓋部を回動可能に結合する結合部を有し、前記蓋部が閉じて前記本体部にかぶさった状態と、前記蓋部が開いて前記本体部の表側と前記蓋部の表側が見える状態をとることができる無線通信端末において、
前記結合部に設けられて前記本体部に対して前記蓋部を着脱する着脱手段と、
前記本体部と前記蓋部との間で信号の送受を行なう近接無線通信手段と、
を具備することを特徴とする無線通信端末。
【請求項２】
前記蓋部に充電池を内蔵し、前記蓋部が閉じて前記本体部にかぶさった状態の時に前記充電池に前記本体部から充電電流を供給する充電手段を具備することを特徴とする請求項１に記載の無線通信端末。
【請求項３】
前記本体部に前記蓋部がかぶさった状態になったことを検出する検出手段と、
前記蓋部に内蔵されている前記充電池の充電状態を監視する電源監視手段とを具備し、
前記検出手段により前記蓋部が前記本体部にかぶさった状態になったことを検出すると、前記電源監視手段の監視結果により充電が必要であるかどうかを判断する判断手段とを具備し、
前記判断手段により充電が必要と判断された場合、前記充電手段により前記蓋部の充電池に前記本体部の内蔵充電池から充電電流を供給することを特徴とする請求項２に記載の無線通信端末。
【請求項４】
前記本体部に第１の音声入力部と第１の音声出力部とを具備すると共に、前記蓋部に第２の音声入力部と第２の音声出力部とを具備し、
前記蓋部が閉じて前記本体部にかぶさった状態をとる時、或いは前記蓋部と前記本体部の結合が外れて両者が分離されている状態をとる時、前記第１の音声入力部と前記第１の音声出力部を用いて音声通話を行うようにし、前記蓋部が開いて前記本体部の表側と前記蓋部の表側が見える状態をとる時、前記第２の音声入力部と前記第２の音声出力部を用いて音声通話を行うようにする制御手段を具備することを特徴とする請求項１乃至３いずれかに記載の無線通信端末。
【請求項５】
本体部と蓋部を回動可能に結合する結合部を有し、前記蓋部が閉じて前記本体部にかぶさった状態と、前記蓋部が開いて前記本体部の表側と前記蓋部の表側が見える状態をとることができる無線通信端末において、
前記結合部に設けられて前記本体部に対して前記蓋部を着脱する着脱手段と、
前記本体部と前記蓋部との間で信号の送受を行なう近接無線通信手段と、
前記蓋部に配置される撮像手段とを具備し、
前記着脱手段により前記蓋部と前記本体部の結合が外れて両者が分離されている状態をとる時、前記撮像手段で撮像して得た画像データを前記近接無線通信手段により前記本体部に転送し、前記本体部内蔵の無線通信手段により相手先に送信することを特徴とする無線通信端末。
【請求項６】
前記撮像手段で撮像して得た画像データを前記本体部内蔵の無線通信手段により相手先に送信すると共に、前記本体部内蔵の無線通信手段により相手先と通話をするマルチアクセス手段を具備することを特徴とする請求項５に記載の無線通信端末。
【請求項７】
前記本体部は更に、
自己宛てに継続して無線送信される動画データを受信する動画データ受信手段と、
この動画データ受信手段によって受信された動画データを復号化する復号化手段とを備え、
前記近接無線通信手段は、前記復号化手段によって復号化された動画データを前記蓋部に送信し、
前記蓋部は更に、前記近接無線通信手段により受信した動画データに基づく映像を表示する映像表示手段
を具備することを特徴とする請求項６に記載の無線通信端末。
【請求項８】
前記本体部内蔵の無線通信手段はメール送信機能を有し、前記撮像手段で撮像して得た画像データを前記メール送信機能によって前記本体部内蔵の無線通信手段により前記相手先に送信することを特徴とする請求項５乃至７いずれかに記載の無線通信端末。
【請求項９】
前記撮像手段の撮像レンズ部は前記蓋部の先端部に回動可能に取り付けられて、前記蓋部の表側方向或いは背面方向に自在に向けられることを特徴とする請求項５乃至８いずれかに記載の無線通信端末。
【請求項１０】
本体部と蓋部を回動可能に結合する結合部を有し、前記蓋部が閉じて前記本体部にかぶさった状態と、前記蓋部が開いて前記本体部の表側と前記蓋部の表側が見える状態をとることができ、且つ前記蓋部に撮像手段を有する無線通信端末における撮影方法において、
前記蓋部と前記本体部を着脱自在に分離する着脱手段を設け、
前記蓋部を前記本体部から分離し、この蓋部に取り付けてある前記撮像手段により被写体を撮像することを特徴とする撮影方法。
【発明の詳細な説明】
【０００１】
【発明の属する技術分野】
本発明は、無線で通信を行なう無線通信端末に係り、特に撮像機能などを有する多機能で且つ二つ折り構造の携帯電話端末及びこの携帯電話端末を用いた撮影方法に関する。
【０００２】
【従来の技術】
従来より、無線通信端末のひとつである携帯電話端末（以降、携帯電話と略称する）が普及し、携帯電話を所持している人は電話通信を何時でもどこででも簡単にできるようになって、電話通信の利便性が飛躍的に向上し、携帯電話の中には、１台で通常の電話通信の他に、ＣＣＤカメラを備えて撮影した画像を送受信する画像送受信機能を備えたものまである（例えば特許文献１参照）。
【０００３】
また、近年の携帯電話の中には単に電話通信及び画像通信を行なえるだけでなく、ＰＤＡ（個人データ管理）機能、ＷＷＷ（Ｗｏｒｌｄ  Ｗｉｄｅ  Ｗｅｂ）接続機能（ブラウザ、電子メールシステム、画像、音楽、プログラムを含む各種ファイルのダウンロードやアップロード）、リアルタイムによる音声と映像とを同時に送受信する機能、及び、自己位置情報取得機能を搭載したものなど、付加機能を充実させた製品も考案・市販されるようになってきている。また、今後、無線通信システムに採用される画像伝送プロトコルとして３Ｇ−３２４Ｍが採用される方向になっている。この画像伝送プロトコルは、１本の通信回線を４本の論理チャンネルに分け、動画（ＭＰＥＧ−４形式）、音声（ＡＭＲ形式）、制御信号、一般データの送受信を行うものであって、この画像伝送プロトコルを採用した無線通信システム、及び携帯電話は、音声通話と画像を含めた各種ファイルの送受信とを同時にでき、例えば、相手と通話をしながら、同時に撮影した画像を相手に送るというようなことができるようになる。
【０００４】
【特許文献１】
特開２００１−１３６２５６号公報（第２−４頁、第１図）
【０００５】
【発明が解決しようとする課題】
しかしながら撮像機能を備えた携帯電話の場合、例えば通話中に被写体を撮影する時には、本体ごと被写体に向けて撮影を行なうことになり、撮影時の使い勝手が悪かった。また上記３Ｇ−３２４Ｍを採用した携帯電話でも、通話をしながら撮影、電子メールの送受信、及びインターネット接続等によるファイル転送を行う場合、良好な通話状態が確保し辛いという不具合が予想される。
【０００６】
本発明は、上述の如き従来の課題を解決するためになされたもので、その目的は、撮影操作を含め、通話中に行われる通話以外の機能の操作を著しく向上させることができる無線通信端末及び撮影方法を提供することである。
【０００７】
【課題を解決するための手段】
この発明の手段は以下の通りである。
【０００８】
請求項１の発明は、本体部と蓋部を回動可能に結合する結合部を有し、前記蓋部が閉じて前記本体部にかぶさった状態と、前記蓋部が開いて前記本体部の表側と前記蓋部の表側が見える状態をとることができる無線通信端末において、前記結合部に設けられて前記本体部に対して前記蓋部を着脱する着脱手段と、前記本体部と前記蓋部との間で信号の送受を行なう近接無線通信手段とを具備することを特徴とする。
【０００９】
請求項２の発明は、前記請求項１において、前記蓋部に充電池を内蔵し、前記蓋部が閉じて前記本体部にかぶさった状態の時に前記充電池に前記本体部から充電電流を供給する充電手段を具備することを特徴とする。
【００１０】
請求項３の発明は、前記請求項２において、前記本体部に前記蓋部がかぶさった状態になったことを検出する検出手段と、前記蓋部に内蔵されている前記充電池の充電状態を監視する電源監視手段とを具備し、前記検出手段により前記蓋部が前記本体部にかぶさった状態になったことを検出すると、前記電源監視手段の監視結果により充電が必要であるかどうかを判断する判断手段とを具備し、前記判断手段により充電が必要と判断された場合、前記充電手段により前記蓋部の充電池に前記本体部の内蔵充電池から充電電流を供給することを特徴とする。
【００１１】
請求項４の発明は、前記請求項１乃至３いずれかにおいて、前記本体部に第１の音声入力部と第１の音声出力部とを具備すると共に、前記蓋部に第２の音声入力部と第２の音声出力部とを具備し、前記蓋部が閉じて前記本体部にかぶさった状態をとる時、或いは前記蓋部と前記本体部の結合が外れて両者が分離されている状態をとる時、前記第１の音声入力部と前記第１の音声出力部を用いて音声通話を行うようにし、前記蓋部が開いて前記本体部の表側と前記蓋部の表側が見える状態をとる時、前記第２の音声入力部と前記第２の音声出力部を用いて音声通話を行うようにする制御手段を具備することを特徴とする。
【００１２】
請求項５の発明は、本体部と蓋部を回動可能に結合する結合部を有し、前記蓋部が閉じて前記本体部にかぶさった状態と、前記蓋部が開いて前記本体部の表側と前記蓋部の表側が見える状態をとることができる無線通信端末において、前記結合部に設けられて前記本体部に対して前記蓋部を着脱する着脱手段と、前記本体部と前記蓋部との間で信号の送受を行なう近接無線通信手段と、前記蓋部に配置される撮像手段とを具備し、前記着脱手段により前記蓋部と前記本体部の結合が外れて両者が分離されている状態をとる時、前記撮像手段で撮像して得た画像データを前記近接無線通信手段により前記本体部に転送し、前記本体部内蔵の無線通信手段により相手先に送信することを特徴とする。
【００１３】
請求項６の発明は、前記請求項５において、前記撮像手段で撮像して得た画像データを前記本体部内蔵の無線通信手段により相手先に送信すると共に、前記本体部内蔵の無線通信手段により相手先と通話をするマルチアクセス手段を具備することを特徴とする。
【００１４】
請求項７の発明は、前記請求項６において、前記本体部は更に、自己宛てに継続して無線送信される動画データを受信する動画データ受信手段と、この動画データ受信手段によって受信された動画データを復号化する復号化手段とを備え、前記近接無線通信手段は、前記復号化手段によって復号化された動画データを前記蓋部に送信し、前記蓋部は更に、前記近接無線通信手段により受信した動画データに基づく映像を表示する映像表示手段を具備することを特徴とする。
【００１５】
請求項８の発明は、前記請求項５乃至７いずれかにおいて、前記本体部内蔵の無線通信手段はメール送信機能を有し、前記撮像手段で撮像して得た画像データを前記メール送信機能によって前記本体部内蔵の無線通信手段により前記相手先に送信することを特徴とする。
【００１６】
請求項９の発明は、前記請求項５乃至８いずれかにおいて、前記撮像手段の撮像レンズ部は前記蓋部の先端部に回動可能に取り付けられて、前記蓋部の表側方向或いは背面方向に自在に向けられることを特徴とする。
【００１７】
請求項１０の発明は、本体部と蓋部を回動可能に結合する結合部を有し、前記蓋部が閉じて前記本体部にかぶさった状態と、前記蓋部が開いて前記本体部の表側と前記蓋部の表側が見える状態をとることができ、且つ前記蓋部に撮像手段を有する無線通信端末における撮影方法において、前記蓋部と前記本体部を着脱自在に分離する着脱手段を設け、前記蓋部を前記本体部から分離し、この蓋部に取り付けてある前記撮像手段により被写体を撮像することを特徴とする。
【００１８】
【発明の実施の形態】
（第１の実施の形態）
以下、本発明の実施の形態を図面に基づいて説明する。図１は、本発明の無線通信端末の第１の実施の形態に係る構成を示した平面図と側面図である。図１（ａ）が平面図で、図１（ｂ）が側面図である。本例の無線通信端末（携帯電話端末）１は、蓋部２と本体部３がヒンジ（不図示）により結合されて、二つ折り可能タイプであり、図示の状態は蓋部２を開いた状態（本実施の形態では第２のモードという）である。
【００１９】
蓋部２は、被写体を撮影する撮像部４、着信或いは警告などを報知する報知ランプ５、受話音声を出力するスピーカ６、メール内容や文字、図形及び画像などの各種情報を表示するＶＧＡクラスの解像度を有するカラーＴＦＴ液晶の表示部７、撮像部４のシャッターボタン８、凸状で伸縮自在に設けられた充電用のコネクタ９、送話音声を集音するマイク１０、蓋部２と本体部３を回動可能に結合するヒンジ（不図示）の回動軸に設けられて蓋部２と本体部３を切り離す着脱スイッチ１１、ヒンジを覆うヒンジカバー１２を備えている。
【００２０】
本体部３は、モノクロ液晶で構成されて受信電波強度、現在時刻、着信時の発信者名、及び、蓋部２と本体部３とで個別に充電池（不図示）の充電状態をゲージ表示する表示部１３、蓋部２が本体部３にかぶさった状態（本実施の形態では第１のモードという）で、上記コネクタ９と接触する凹状のコネクタ１４、携帯電話用の無線通信プロトコルで使用する周波数帯に対応する通信用のアンテナ１５、各種の情報の入力や機能指示などを行なうキー操作部１６、スピーカ１７、受話用のマイク１８、外部インターフェイス用のコネクタ１９、クレイドル（不図示）と接触して本体部３内の後述する充電池に充電するためのコネクタ２０、イヤホン端子（カバー）２１、ストラップ接続部材２２を備えている。
【００２１】
尚、上記したキー操作部１６はメールキー１６１、発信履歴キー１６２、ブラウザキー１６３、アドレス帳キー１６４、センターキー１６５、通話キー（オフフックキー）１６６、クリアキー１６７、切キー（オンフックキー）１６８、テンキー１６９などの各種キーを有している。
【００２２】
上記した無線通信端末１は画像伝送プロトコル３Ｇ−３２４Ｍに対応し、上記したようにカラー表示の表示部７と、撮像部４としてのＣＭＯＳデバイスを実装し、この撮像部４は蓋部２の先端に回動可能に取り付けてあり、背面に向けることができるようになっている。この図１の第２のモードで通話する場合は、ユーザーの音声をマイク１０で拾い、通話相手の音声はスピーカ６から出力される。
【００２３】
図２は、図１に示した無線通信端末１の蓋部２を閉めて折り畳んだ状態とした場合の平面図と側面図である。図２（ａ）が平面図で、図２（ｂ）が側面図である。無線通信端末１の蓋部２はヒンジ（不図示）を中心として回転し、本体部３にかぶさって折り畳んだ状態（二つ折り状態）になって、マイク１８が蓋部２の背面の先端についている。この蓋部２が本体部３にかぶさった状態を第１のモードという。
【００２４】
この第１のモードでは、待受状態の時の図１に示した表示部７への給電はストップしており、基本的に蓋部２では電源を消費するモードにはなっていない。また、図１に示したコネクタ９とコネクタ１４とが接触しており、本体部３の電源が充分な状態であり且つ、蓋部２内の後述する充電池の充電状態が不充分であれば、本体部３の充電池から電源をコネクタ９、１４を介して蓋部２の充電池に充電電流を供給して充電する。
【００２５】
この第１のモードでは発呼はできないが、着信を検出すると通話のみ可能となる。その場合、通話相手の音声はイヤホン２３若しくはイヤホンマイク２３０を介して出力され、ユーザーの送話はマイク１８で拾って相手方に送信される。また、撮像部４を蓋部２の背面部に回動させて撮像することもできる。ここで、イヤホンマイク２３０は発音部２３３とマイク２３１とオフフック用のスイッチ２３２を有している。
【００２６】
図３は上記した蓋部２と本体部３を回動可能に結合するヒンジ部分の回転部分の構造例を示した図である。蓋部２と本体部３を結合するヒンジ部分は、この部分で蓋部２と本体部３とを切り離すことができる。本体部３のヒンジ部分は、シャフト３０３に巻き回されたバネ３００と、シャフト３０３に移動自在に勘合して、ヒンジ部内に形成されたシリンダ３０２内を移動する移動部材３０８と、シリンダ３０２の内壁に配置されたマイクロスイッチ３０１と、このマイクロスイッチ３０１に移動部材３０８の移動により接触する接触部３０４及びシャフト３０３の先端部にあって、移動部材３０８の上部内壁に接触するマイクロスイッチ３０５で構成されている。
【００２７】
一方、蓋部２のヒンジ部分のガイド溝１１１が設けられると共にヒンジ部カバー１２内側には円筒形のスペース１１２が形成されている。またこのスペース１１２には着脱スイッチ１１が軸方向に移動自在に装着されている。着脱スイッチ１１の本体部材１１０には、着脱スイッチの軸方向の移動に合わせてガイド溝１１１を移動する凸部１１３が形成されている。着脱スイッチ１１はこの凸部１１３により蓋部２から外れることを防止し、この着脱スイッチ１１が矢印ａ方向に押下されると、本体部材１１０がスペース１１２内を移動するとともに、凸部１１３がガイド溝１１１を移動して、移動部材３０８を矢印ｂ方向に押す。
【００２８】
上記構成にて、バネ３００は伸張状態に作用するようになっている。図示の状態において、本体部３側のヒンジ部分の移動部材３０８の先端部が蓋部２側のヒンジ部分のスペース１１２に突出することによって、本体部３側と蓋部２側はヒンジを介して結合された状態になっている。この状態で、着脱スイッチ１１を矢印ａに方向に押すと、この着脱スイッチ１１に接触している移動部材３０８も矢印ｂ方向に押されて引っ込むため、本体部３側のヒンジ部分が外れて、蓋部２との結合が切れて両者を切り離すことができる。
【００２９】
蓋部２と本体部３とが切り離された状態では、バネ３００の作用により移動部材３０８は図示のようにその頭部が本体部３側のヒンジ部分から突出している。この状態で、移動部材３０８の頭部の傾斜部３０７を用いて蓋部２側のヒンジにより移動部材３０８を本体部３側のヒンジ部に一旦押し込めて両ヒンジ部の軸中心を合わせると、押し込まれた移動部材３０８が蓋部２側のヒンジ部内に突出して挿入され、蓋部２側と本体部３側は図示のごとく結合状態になる。
【００３０】
ここで、マイクロスイッチ３０１、３０５は、上記の蓋部２と本体部３の着脱動作によるこれらスイッチのオン、オフ信号をそれそれ後述する検出部を介して本体部３の後述する制御部及び蓋部２の後述する制御部に出力する。蓋部２と本体部３を切り離すべく、上記した着脱スイッチ１１を押し込む動作を行なうと、移動部材３０８が矢印ｂ方向に移動して、マイクロスイッチ３０１と３０５の両方がオン状態になるのを前記検出部が検出して後述する第３のモードヘ移行する。
【００３１】
また、切り離された蓋部２を本体部３に結合する場合、移動部材３０８はそれ程深く矢印方向ｂ側に移動しないため、マイクロスイッチ３０１のみのオンが前記検出部により検出され、第２のモードに移行する。更に、第２のモード状態において、図１に示したコネクタ９、１４の接触を前記検出部で検出すると、上記第１のモードへ移行する。
【００３２】
蓋部２と本体部３とは電気的に互いに独立しており、第２のモードで通話する場合、ユーザーの音声をマイク１０で拾い、通話相手の音声はスピーカ６から出力されるが、蓋部２と本体部３の回路を結合する無線通信（後述する近接無線通信処理部により構成）によって、蓋部２側のマイク１０で拾った音声は符号化されて本体部３に送られ、この本体部３からアンテナ１５を介して外部に送信される。
【００３３】
この場合、蓋部２と本体部３とはｂｌｕｅｔｏｏｔｈ規格に代表される２．４ＭＨｚ帯の近接無線通信プロトコルでリンクしており、例えばｂｌｕｅｔｏｏｔｈ規格のへッドセットプロファイルで、ユーザーの音声を符号化して本体部３に送信した後、更に無線処理して外部に送信する。また、通話相手の音声データは本体部３で一度、無線信号処理した後、上記へッドセットプロファイルを用いて蓋部２に送信され、蓋部２で復号化されてスピーカ６から出力される。
【００３４】
図４は上記した蓋部２と本体部３とが離れた状態を示した平面図である。上記したように着脱スイッチ１１を矢印ａ方向に押圧することにより、蓋部２と本体部３とは切り離されて第３のモード状態となる。この第３のモード状態では、発呼、着信両方が可能であり、音声通話のみならば、上記第１のモ一ドと基本的に同じ処理を行うことができる。ここで、図中、４５、５５は蓋部２と本体部３の間で無線によるデータ送受信を行うために、それぞれに搭載されている近接無線通信処理部（後述）用のアンテナである。
【００３５】
即ち、この第３のモードにおいて、蓋部２は本体部３に対して独立した情報端末（ＰＤＡ）として機能し、通話をしながら、後述する内蔵ＲＡＭ、若しくは本体部３内蔵の後述するＲＡＭに格納された各種データを蓋部２に転送させ、表示部７に表示させて閲覧することができる。但し、この第３のモードにおける画面操作は、本体部３のセンターキー１６５を用いて行われ、このセンターキー１６５の操作に応じて、本体部３に格納された各種データを後述する近接無線通信処理部を使用して蓋部２に転送する。又、ＲＡＭ５２に格納されたデータを表示部７に表示させることもできる。また、撮像部４による撮影はシャッターボタン８の操作を検出することにより実行される。
【００３６】
図５は図１、図４に示した表示部１３の表示状態を示した図である。表示部１３は、無線通信端末１の各種状態を示す部分であり、蓋部２内の後述する充電池の充電状態を表示するセグメント１３１、本体部３内の後述する充電池の充電状態を示すセグメント１３２、現在日時、通話相手の氏名、電話番号等の各種情報を表示する情報表示領域１３３、受信感度を示すセグメント１３４から成っている。
【００３７】
図６は図１、２などに示した無線通信端末１の回路構成図である。無線通信端末１の回路は蓋部２側と本体部３側の回路で構成され、両回路は後述する近接無線通信により接続され、電源系はコネクタ９、１４により接続される。
【００３８】
蓋部２側の回路は、蓋部２の各種動作及び全体の動作を制御する制御部５１、撮像部４により撮影された画像データを記憶したり、制御部５１が動作する上で必要なデータを記憶するＲＡＭ５２、充電池５６の充電状態を監視する電源監視部５３、本体部３との間の通信を無線で行なう近接無線通信処理部５４、近接無線用のアンテナ５５、蓋部２側の回路に電源を供給する充電池５６、マイク１０及びスピーカ６への入出力音声信号を符号化、復号化処理する音声信号処理部５７、表示部７を駆動して各種情報を表示する表示ドライバ５８、ＣＣＤ等の撮像部４から得られた画像信号を符号化して画像データに変換処理するＤＳＰ５９、撮像部４のシャッターボタン８の押下を検出するシャッターボタン検出部６０、報知ランプ５を点滅するドライバ６１及びこれら各部品を相互に接続するバス５００を有している。
【００３９】
本体部３側の回路は、本体部３の各種動作及び全体の動作を制御する制御部３１、無線通信端末１として必要な各種データを記憶し、且つ制御部３１が動作する上で必要なデータを記憶するＲＡＭ３２、制御部３１を制御する各種プログラムなどを記憶するＲＯＭ３３、キー操作部１６のキー押下情報を入力するキー入力部３４、表示部１３を駆動して各種情報を表示させる表示ドライバ３５、各種の音声信号を生成する音源回路部３６、音源回路部３６から生成された音源を増幅してスピーカ１７より出力するドライバ３７、アンテナ１５を介して基地局（不図示）と無線により音声やデータを送受する無線送受信部３８、無線送受信部３８で受信した音声やデータを復調し、或いは無線送受信部３８から送信する音声やデータを変調するなどの無線通信に必要な処理をする無線信号処理部３９、本体部３を例えばノートパソコンなどの外部機器と接続する外部インターフェイス４０、マイク１８及びイヤホンマイク２３０から入力された音声信号を符号化処理する音声信号処理部４１、コネクタ９、１４の接離の検出、マイクロスイッチ３０１、３０５のオン、オフ信号の検出し、並びにイヤホン端子２１にイヤホン２３が接続されたのか、イヤホンマイク２３０が接続されたのかを検出する検出部４２、充電池４６の充電状態を監視する電源監視部４３、蓋部２との間の通信を無線で行なう近接無線通信処理部４４、近接無線用のアンテナ４５、本体部３側の回路に電源を供給すると共に、蓋部２側の充電池５６を充電する充電池（主電源）４６及びこれら部品を相互に接続するバス４００を有している。尚、充電用コネクタ１９は充電池４６に充電電流を外部から供給し、コネクタ１４を蓋部２側のコネクタ９と接続して、充電池４６から充電電流を蓋部２側の充電池５６に供給する。
【００４０】
ここで、制御部５１は蓋部２全体を制御し、例えばマイク１０を介して入力された音声を音声信号処埋部５７で符号化してバス５００に出力した後、制御部５１の制御により、近接無線通信処理部５４に転送する。また、近接無線通信処理部４４、５４は両者の間でリンク確立する際にそれぞれの相手を認証するに必要な情報を格納しているデバイスＩＤ記憶部４４１と５４１を内蔵している。蓋部２で符号化された音声信号は、近接無線通信処理部５４により上記ｂｌｕｅｔｏｏｔｈのへッドセットプロファイルに基づいて２．４ＭＨｚ帯の無線信号に変換されてアンテナ５５からリンク確立された本体部３の近接無線通信処理部４４に送信される。
【００４１】
また、制御部５１はシャッターボタン８の操作により、カメラモードに移行したことを検出して、第２のモードもしくは第３のモードである場合、撮像部４により取り込まれた撮像画像を表示部にスルー画像として表示させる。そして更にどのモードも関係無くシャッターボタン８の操作を検出した場合は、撮像部４の撮像画像はＤＳＰ５９により符号化され、バス５００に出力された後、制御部５１の制御によりＲＡＭ５２に格納されたり、近接無線通信処理部５４に転送される。ここで、符号化された撮像音声信号は、上記ｂｌｕｅｔｏｏｔｈ規格のデータ通信プロファイルに基づいて２．４ＭＨｚ帯の無線信号に変換され、アンテナ５５により、リンク確立された本体部３に出力される。
【００４２】
更に、へッドセットプロファイルによりアンテナ５５により受信された信号は、近接無線通信処理部５４で音声信号（デジタル信号）に変換され、バス５００を介して音声信号処理部５７に転送され、そこで復号化された音声をスピーカ６から出力する。又、無線送受信部３８への着信を制御部３１が検出した場合は、本体部３よりその旨が蓋部２に近接無線通信により送信され、報知ランプ５を駆動させる他、表示ドライバ５８に貯められた各種情報が制御部５１の制御により表示部７に表示される。また、第１のモードの状態でコネクタ１４、コネクタ９により本体部３から供給された電源は、充電池５６に充電される。そしてこの充電池５６の充電状態は電源監視部５３により監視され、定期的に本体部３に送信される。
【００４３】
図７は上記したＲＡＭ３２の記憶領域を示した構成図である。ＲＡＭ３２は加入者のＩＤ（識別情報）や電話番号、アドレス帳データ、ショートメール等の各種バックアップデータや、アクセスポイントのダイアル番号等のネットワーク接続情報を格納する加入者（ユーザー情報）格納領域３９１、マイクロスイッチ３０１、３０５及びコネクタ９と１４との接触を検出部４２が検出し、その結果に応じて、第１、第２、第３のいずれのモードか判別して図８に示すようなフラグＡ、又はフラグＢをセット、リセットするモードフラグエリア３９２、ユーザーがダイアルしてオフフックした電話番号を順次記録する発信履歴格納領域３９３、着呼要求検出時、発呼者番号通知によって通知された電話番号を格納する着信履歴格納領域３９４、ユーザーが任意に登録したり、外部インターフェイス等から転送された個人の連絡先データを格納するアドレス帳格納領域３９５、上記プロトコルにおいてパケット通信で受信したメールデータを格納したり、送信していない作成メールデータを格納するメールデータ格納領域３９６、蓋部２より送信された画像（データ）をメール送信する際に一時的に格納するワークエリア３９７から成っている。ここで、アドレス帳格納領域３９５には、図９に示すように、格納アドレスと、氏名、連絡先電話番号、フラグＣ（その人がメールアドレスを持っているか、若しくは登録しているかを示すフラグ）、メールアドレス、その他、各種個人情報を格納する。
【００４４】
制御部３１は例えば、第１のモード及び第３のモードにおいてマイク１８を介して入力された音声を音声信号処理部４１で符号化し、バス４００に出力した後、制御部３１の制御により、無線信号処理部３９に転送する。無線信号処理部３９で符号化された音声信号は無線送受信部３８によって、携帯電話用の無線通信プロトコルに基づいた信号形式に変換されてアンテナ１５により出力される。
【００４５】
また、近接無線通信処理部４４により受信された各種データ（蓋部２の撮像部４により撮像された画像データ）は、無線送受信部３８によって上記画像伝送プロトコル３Ｇ−３２４Ｍに基づいた信号形式に変換されてアンテナ１５により出力される。更に、アンテナ１５により受信された信号は、無線送受信部３８、無線信号処理部３９、バス４００を介して音声信号処理部４１に転送され、そこで復号化された音声をイヤホン端子２１を介してイヤホン２３から出力する。
【００４６】
更に、上記画像伝送プロトコルでアンテナ１５により受信された信号は、無線送受信部３８、無線信号処理部３９、バス４００を介してＲＡＭ３２に格納されたり、近接無線通信処理部４４に転送される。ここで、前記受信信号は上記ｂｌｕｅｔｏｏｔｈ規格のデータ通信プロファイルに基づいて２．４ＭＨｚ帯の無線信号に変換されてアンテナ４５により、リンク確立された蓋部２に出力される。また、制御部３１はイヤホン端子２１にイヤホン２３の代わりにイヤホンマイク２３０が接続された場合は、スイッチ２３２の操作を検出することにより、マイク１８より入力すべき音声をマイク２３１から入力するように切り替える。
【００４７】
次に本実施の形態の動作について説明する。まず、本例の無線通信端末１が本体部３に蓋部２がかぶさった（無線通信端末１を折り畳んだ）状態である第１のモードにある時は、例えばバックなどに収納されて無線通信端末１を使用していない場合を想定している。このような状態では、本体部３に搭載されている電池４１の電圧監視動作が行なわれており、以下、図１０のフローチャートに従ってこの動作について説明する。
【００４８】
まず、ステップＳ１では、本体部３の電源監視部４３により充電池４６の電圧状態をチェックし、その電圧レベルがどうであるかを判断し、レベル１であった場合はステップＳ９に進み、レベル２であった場合はステップＳ２に進む。ここで、レベル１、レベル２、レベル３は充電池４６、５６のそれぞれの電圧レベルを示しており、番号が大きくなる程、電圧レベルが低い状態を示し、充電池に蓄電されている電荷が少なくなっていることを示している。
【００４９】
ステップＳ２では、本体部３の充電池４６からコネクタ１４、９を介して蓋部２の充電池５６に対して行なわれている充電を停止する。これは、無線通信端末１が第１のモードの状態にあるとき（すなわちコネクタ９とコネクタ１４が接触している状態のとき）は蓋部２では電源を消費することがないため、結果的に、本体部３が最低限動作する状態を確保するために行われる処理である。その後、ステップＳ３で、本体部３の電源監視部４３により充電池４６の電圧状態をチェックし、その結果がレベル３であるかどうかを判断し、そうでない場合はステップＳ９に進む。レベル３である場合はステップＳ４にて、蓋部２の電源監視部５３により充電池５６の電圧状態をチェックし、ステップＳ５でレベル３であるかどうかを判断する。その結果レベル３であると判断された場合は、ステップＳ７に進んで、音源回路部３６からドライバ３７を介してスピーカ１７より蓋部２の低電圧を知らせる音をステップＳ８で一定時間経過するまで発生した後、充電池５６から蓋部２への電源供給を停止する。一方、充電池５６の電圧状態がレベル３でない場合は、ステップＳ５６で充電池５６より充電池４６へコネクタ９、１４を介して電源を供給し、充電池４６を充電し、充電する処理をしてリターンする。すなわち第１のモードにおいては、充電池５６は充電池４６のバックアップとして動作する。
【００５０】
ステップＳ３で、充電池４６の電圧状態がレベル３でない場合、ステップＳ９で、コネクタ９とコネクタ１４が離れたことを検出部４２で検出したかどうかを判断し、検出しない場合（蓋部２が本体部３にかぶさった状態）はリターンし、検出した（蓋部２を本体部３に対して開いた状態）場合はステップＳ１０にて、ＲＡＭ３２のモードフラグエリア３９２のフラグＡに“１”をセットして第２モードに移行し、ステップＳ１１で第２モードの処理を行なう。
【００５１】
この第２モードの処理中、ステップＳ１２で、マイクロスイッチ３０１に接触部３０４が接触してオンし且つマイクロスイッチ３０５がオンしたことを検出部４２で検出したかどうかを判断し、検出した場合はステップＳ１３に進み、検出しない場合はステップＳ１８に進む。ステップＳ１８ではコネクタ９と１４が接続されたことを検出部４２が検出したかどうかを判断し、検出しない場合はステップＳ１１に戻り、検出した場合（蓋部２を本体部に対して閉じた状態）はステップＳ１９に進む。
【００５２】
ステップＳ１２でマイクロスイッチ３０１、３０５のオン（蓋部２と本体部３とが切り離された状態）を検出してステップＳ１３に進んだ場合、ＲＡＭ３２のモードフラグエリア３９２のフラグＢに“１”をセットしてステップＳ１４で第３モードに移行し、ステップＳ１５で第３モードの処理を行なう。この第３モードの処理中、ステップＳ１６でマイクロスイッチ３０１に接触部３０４が接触してオンしたことを検出部４２で検出したかどうかを判断し、オンした場合（蓋部２と本体部３とが結合した状態）はステップＳ１７でＲＡＭ３２のモードフラグエリア３９２のフラグＢに“０”を書き込んで、ステップＳ１０に戻る。
【００５３】
ステップＳ１８でコネクタ９とコネクタ１４との接続を検出してステップＳ１９に進んだ場合、電源監視部４３により充電池４６の電圧をチェックし、ステップＳ２０で充電池４６の電圧がレベル１であるか、或いはレベル２、３であるかを判断する。レベル１の場合、ステップＳ２１にて、充電池４６からコネクタ１４、コネクタ９を通して充電池５６の充電を開始してステップＳ２２で第１のモードに移行する。充電池４６の電圧がレベル２、３であった場合はステップＳ２２に進んで、第１のモードに移行する。
【００５４】
図１１は無線通信端末１の蓋部２が本体部３に対して閉じた状態の（無線通信端末１を折り畳んだ状態）第１のモードにある時の動作について説明する。まず、ステップＳ２３で、無線送受信部３８への着呼を検出すると、ステップＳ２４で、音源回路部３６からの音源をドライバ３７を介してスピーカ１７から出力することによってリンガを鳴動させ、表示ドライバ３５を介して表示部１３に着信電話番号、発信者名等の情報表示を行なう。その後、ステップＳ２５では、検出部４２によりイヤホン端子２１に何か接続されていることが検出されたかどうかを判断し、検出されない場合はステップＳ３２に進み、検出された場合はステップＳ２６に進む。
【００５５】
ステップＳ２６では、イヤホンマイク２３０のスイッチ２３１が押されてオフフックしたことを検出部４２により検出したかどうかを判断し、検出されない場合はステップＳ３０に進み、検出された場合はステップＳ２７に進む。ステップＳ２７にて、マイク２３１を用いてユーザーの音声を入力すると、入力音声は音声信号処理部４１により符号化され、この符号化された音声信号が無線信号処理部３９により変調されてから、無線送受信部３８からアンテナ１５を介して送信される。また、アンテナ１５を介して無線送受信部３８により受信された相手からの受話信号は無線信号処理部３９により復調された後、音声信号処理部４１で復号化され、この復号化されたアナログ音声信号がイヤホンマイク２３０の発音部２３３から出力される。この通話中、ステップＳ２８により相手側のオンフック若しくはスイッチ２３２のオンフック操作を検出したと判断されると、ステップＳ２９に進んで通話を終了する。
【００５６】
ステップＳ２６でイヤホンマイク２３０のスイッチ２３２によるオフフックが検出されない場合、イヤホン端子２１にはイヤホン２３が接続されているため、ステップＳ３０にて、マイク１８にて送話音声を入力し、受話音声をイヤホン２３より出力する通話が行なわれ、通話経路は音声の入出力場所が違うだけでステップＳ２７で説明した経路とほぼ同じである。この通話中、ステップＳ３１で相手側のオンフック若しくはイヤホン２３がイヤホン端子２１から切断されたことが検出されると、ステップＳ２９に進んで、通話を終了する。
【００５７】
ステップＳ２５でイヤホン端子２１への接続を検出しない場合、ステップＳ３２にてコネクタ９とコネクタ１４が離れたことを検出部４２により検出したかどうか、即ち、蓋部２が開いたかどうかを判断し、開いた場合は図１２のステップＳ３６に進み、蓋部２が閉じている場合はステップＳ３３に進む。このステップＳ３３ではリンガが鳴っている状態でシャッターボタン８が押されたことをシャッターボタン検出部６０で検出したかどうか、即ち着呼要求停止があったかどうかを判断し、ない場合はステップＳ２５に戻り、着呼要求停止があった場合はステップＳ３４にて、ＲＡＭ３２内の着信履歴格納領域３９４内の着信履歴データを更新してリターンする。尚、蓋部２が閉じていて且つリンガが鳴っている状態でシャッターボタン８が押下された場合は着呼要求停止指示となるようにプログラムされている。
【００５８】
図１２は無線通信端末１の蓋部２が本体部３に対して開いている第２のモードの時の動作を示したフローチャートである。この第２のモードにおいて、通話者は、無線通信端末１を図１５（ａ）に示したように持って、通常の携帯電話機と同様に通話することになる。
【００５９】
まず、ステップＳ３５で、無線送受信部３８への着呼を検出したかどうかを判断し、検出しない場合はステップＳ４７に進み、検出した場合はステップＳ３６で、近接無線通信処理部４４と５４間でアンテナ４５、５５を介して通信処理を行うことによりネゴシエーションを開始して、ステップＳ３７で、音源回路部３６からの音源をドライバ３７を介してスピーカ１７から出力することによってリンガを鳴動させると共に、表示ドライバ３５によって表示部１３に着信電話番号、発信者名等の情報表示を行なう。次にステップＳ３８で、キー操作部１６のオフフックキー１６６が押されてオフフックしたことが検出されたかどうかを判断し、検出された場合はステップＳ３９に進み、検出されない場合はステップＳ４３に進む。ステップＳ４３では、着呼要求停止かどうかを判断し、停止でない場合はステップＳ３７に戻り、停止の場合はステップＳ４４に進んで、ＲＡＭ３２内の着信履歴データを更新してからリターンする。
【００６０】
ステップＳ３８でオフフックを検出した場合、ステップＳ３９にて、ヘッドセットプロファイルによる通信を開始し、マイク１０にて送話音声を入力し、スピーカ６から受話音声を出力することにより相手と通話する。即ち、マイク１０を用いてユーザーの音声を入力すると、入力音声は音声信号処理部５７により符号化され、この符号化された音声信号が近接無線通信処理部５４により変調された後、アンテナ５５から送信される。アンテナ４５により受信された無線信号は近接無線通信処理部４４により復調された後、無線信号処理部３９に入力され、ここで変調された後、無線送受信部３８からアンテナ１５を介して送信される。
【００６１】
また、アンテナ１５を介して無線送受信部３８により受信された相手からの受話信号は無線信号処理部３９により復調された後、近接無線通信処理部４４に入力され、ここで変調されてアンテナ４５から送信される。アンテナ５５により受信された無線信号は近接無線通信処理部５４により復調された後、音声信号処理部５７により復号化された後、スピーカ６から出力される。この通話中、ステップＳ４０にて、マイクロスイッチ３０１と３０５がオンしたことを検出部４２で検出したか（蓋部２と本体部３を分離したか）どうかを判断し、分離しない場合はステップＳ４５に進み、分離した場合はステップＳ４１に進む。ステップＳ４１では、オンフックキー１６８が押下されてオンフックが検出されたかどうかを判断し、検出されない場合はステップＳ３９に戻り、検出された場合はステップＳ４２にて通話を終了してリターンする。
【００６２】
ステップＳ４０で蓋部２と本体部３を分離した場合、ステップＳ４５にて、イヤホン端子２１に何かが接続されたことを検出部４２により検出したかどうか判断し、検出されない場合はステップＳ３９に戻り、検出された場合はステップＳ４６にて、近接無線通信処理部４４と５４間でアンテナ４５、５５を介して通信することによりネゴシエーションを開始してリンクを解除した後、図１３のステップＳ５７に進む。
【００６３】
ステップＳ３５で着呼を検出しない場合、ステップＳ４７にて発呼動作を検出したかどうかを判断し、検出しない場合はステップＳ５１に進み、検出した場合はステップＳ４８に進む。ステップＳ４８では、近接無線通信処理部４４と５４間でアンテナ４５、５５を介して通信することによりネゴシエーションを開始してリンクを確立した後、ステップＳ４９に進んで通話要求信号を無線送受信部３８から送信した後、ステップＳ５０で相手側のオフフック操作を検出すると、ステップＳ３９に進む。
【００６４】
ステップＳ４７で発呼動作を検出しない場合は、ステップＳ５１にてセンターキー１６５を操作してカメラモードに移行したかどうかの検出を行い、検出しなかった場合、すなわち、カメラモードに移行しない場合はステップＳ５３に進んでその他のモード処理を行ない、カメラモードへの移行を検出した場合はステップＳ５２に進んでカメラモード処理を行なう。
【００６５】
図１３は蓋部２と本体部３が切り離された第３のモードにおける端末の動作を示したフローチャートである。この第３のモードにおいて、図１５（ｂ）に示したように通話者は左手に無線通信端末１の蓋部２を持ち、右手に無線通信端末１の本体部３を持ち且つ、本体部３に装着した例えばイヤホン２３を右耳にして通話を行う。このイヤホン２３の代わりにイヤホンマイク２３０を用いてもよい。
【００６６】
ステップＳ５４では、無線送受信部３８にて着呼を検出したかどうかを判断し、検出しない場合はステップＳ６５に進み、検出した場合はステップＳ５５に進む。ステップＳ５５では、音源回路部３６からの音源をドライバ３７を介してスピーカ１７から出力することにより、リンガを鳴動させると共に、表示ドライバ３５を介して表示部１３に着信電話番号や発信者名等の情報表示を行なう。
【００６７】
次にステップＳ５６では、検出部４２によりイヤホン端子２１に何か接続されていることが検出部４２により検出されたかどうかを判断し、検出されない場合はステップＳ６１に進み、検出された場合はステップＳ５７に進む。ステップＳ５７ではイヤホンマイク２３０のスイッチ２３２が押されてオフフックしたことを検出部４２により検出したかどうかを判断し、検出されない場合はステップＳ６３に進み、検出された場合はステップＳ５８に進む。
【００６８】
ステップＳ５８にて、マイク２３１を用いてユーザーの音声を入力すると、入力音声は音声信号処理部４１により符号化され、この符号化された音声信号が無線信号処理部３９により変調された後、無線送受信部３８からアンテナ１５を介して送信される。また、アンテナ１５を介して無線送受信部３８により受信された相手からの受話信号は無線信号処理部３９により復調された後、音声信号処理部４１で復号化され、この復号化されたアナログ音声信号がイヤホンマイク２３０の発音部２３３から出力される。この通話中、ステップＳ５９で相手側のオンフック若しくはスイッチ２３２のオンフック操作を検出したと判断されると、ステップＳ６０に進んで、通話を終了する。
【００６９】
ステップＳ５７でスイッチ２３２の操作が検出されない場合は、ステップＳ６３に進み、マイク１８にて送話音声を入力してイヤホン２３にて音声を出力する通話を行う。この通話中ステップＳ６４にて相手側のオンフック若しくはスイッチ２３２のオンフック操作を検出したと判断されると、ステップＳ６０に進んで、通話を終了する。
【００７０】
ステップＳ５６でイヤホン端子２１に何も接続されないと検出された場合は、ステップＳ６１に進んで着呼要求停止がなされたかどうかを判断し、なされるとステップＳ６２に進んで、ＲＡＭ３２内の着信履歴データを更新すると共に、スピーカ１７からのリンガの出力を停止してリターンする。
【００７１】
ステップＳ５４で着呼検出しない場合はステップＳ６５に進み、イヤホン端子２１にイヤホン２３又はイヤホンマイク２３０が接続されているかどうかを判断し、接続されていない場合はステップＳ７１にてエラー表示をしてリターンする。イヤホン２３又はイヤホンマイク２３０が接続されている場合はステップＳ６６に進んで発呼動作を検出したかどうかを判断し、検出しない場合はリターンし、発呼動作を検出した場合はステップＳ６７に進む。
【００７２】
ステップＳ６７では無線送受信部３８から通話要求信号をアンテナ１５を介して送信し、その後、ステップＳ６８で相手側のオフフック操作を検出すると、ステップＳ６９に進んでマイク１８で送話音声を入力し、受話音声をスピーカ１７から出力する通話を行なう。この通話中にステップＳ７０で相手側のオンフック若しくはオンフックキー１６８の押下によるオンフック操作を検出した場合は、ステップＳ６０に進んで通話を終了した後、リターンする。
【００７３】
図１４は本無線通信端末１において通話中にカメラモードへの移行を検出し、音声通話処理を行いながら平行してカメラモードにおける撮影動作を行った場合のフローチャートである。まず、通話中に、ステップＳ７２にてシャッターボタン８が押下されたことをシャッターボタン検出部６０が検出したか、或いはセンターキー１６５を操作して撮影モードにしたかどうかを判断し、検出しない場合はリターンし、検出した場合はステップＳ７３に進む。ステップＳ７３では蓋部２が閉まっている第１のモードであるかどうかを判断し、第１のモードでない場合はステップＳ８６に進み、蓋部２が閉まった状態の第１のモードである場合はステップＳ７４に進む。
【００７４】
ステップＳ７４では撮像部４は蓋部２の背面に向いているかどうかを判断し、背面に向いていない場合はステップＳ８５で報知ランプ５を点滅させて、撮像部４を背面側に向けるようにユーザーに警告する。撮像部４が背面側に向いている場合はステップＳ７５に進み、ステップＳ７６で再度シャッターボタン８が押下される操作を検出するまで待機する。再度シャッターボタン８が押下されると、ステップＳ７７に進んで、撮像部４で得られた画像信号をＤＳＰ５９で符号化して得られる画像データをステップＳ７７で取り込んでＲＡＭ５２に格納する。その後、ステップＳ７８に進んで、ＲＡＭ３２内のアドレス帳格納領域３９５を検索し、通話相手のメールアドレスなどの送信先情報を検索し、ステップＳ７９でメールアドレスがあるかどうかを判断し、ない場合はステップＳ７３に戻り、メールアドレスがあった場合はステップＳ８０に進む。
【００７５】
ステップＳ８０では、近接無線通信処理部４４と５４間でアンテナ４５、５５を介して通信することによりネゴシエーションを開始してリンクを確立した後、ステップＳ８１に進んで、ＲＡＭ５２に格納した前記画像データを近接無線通信処理部５５、４４を介して本体部３側のＲＡＭ３２に転送した後、ステップＳ８２で音源回路部３６から報知信号をドライバ３７を介してスピーカ１７に出力して報知音を鳴らし、またステップＳ８３で、表示ドライバ３５により表示部１３に画像データの送信準備ができたことを示す表示を行なう。その後、ステップＳ８４で一定時間の経過待ちを行なう。一定時間経過すると、ステップＳ９０に進んで無線信号処理部３９からアクセスポイントへのダイアル信号を発生して無線送受信部３８から送信し、ステップＳ９１で前記アクセスポイントからの応答待ちを行なう。その結果ステップＳ９２で応答がない場合はステップＳ９８に進み、応答があった場合はステップＳ９３に進む。
【００７６】
ステップＳ９３ではメーラー（メールソフト）を起動し、ステップＳ９４でＲＡＭ３２に転送した画像データをメールに添付し、これを無線信号処理部３９で変調した後、無線送受信部３８からアンテナ１５を介して相手先のメールアドレスへ送信する。ステップＳ９５で、このメールの送信が正常送信されかどうかを判断し、正常送信された場合はステップＳ９６でＯＫ表示をしてリターンし、正常送信されない場合はステップＳ９７でエラー表示をしてリターンする。一方、ステップＳ９２で応答がなく、ステップＳ９８にて応答待機時間が一定時間経過したと判断された場合、ステップＳ９７に進み、エラー表示を行なってリターンする。
【００７７】
ステップＳ７３で第１のモードでないと判断された場合はステップＳ８６に進んで、第３のモードであるかどうかを判断し、第３のモードでない場合はステップＳ８９へ進んでその他の処理を行ない、第３のモードである場合はステップＳ８７へ進む。
【００７８】
ステップＳ８７では、撮像部４により得られた画像を表示ドライバ５８により表示部７にスルー表示し、その表示期間中にステップＳ８８でシャッターボタン８の押下を検出すると、ステップＳ７７に進む。
【００７９】
本実施の形態によれば、二つ折り可能な無線通信端末１の蓋部２を本体部３から着脱自在に切り離すことができる構造とし、且つ蓋部２の回路と本体部３の回路を近距離無線通信機能により常時接続するようにしたので、蓋部２に取り付けてある撮像部４で撮影した画像を通話中の相手に送信するような場合、本体部３で通話しながら被写体に対して蓋部２を自由に動かして撮像部４をベストアングルで被写体に向けて撮影することができるため、撮像部４での撮影時の操作性を著しく向上させることができる。また、通話中でなくとも、この分離した蓋部２だけを持って撮像部４を被写体に自由に向けて撮影することができ、本体部３と接続している時よりも撮像部４の撮影範囲を著しく拡大することができ、撮影単独の操作性をも向上させることができる。
【００８０】
また、蓋部２を開けた状態は勿論、蓋部２と分離した状態の本体部３でも、通常の発呼、着信時の通信を行なうことができ、更に、蓋部２を閉じた状態、或いは蓋部２だけでも着信時の通話を行なうことができる。
【００８１】
更に、蓋部２に配置されている表示部７の他に、本体部３にもサブの表示部１３を設け、且つこの表示部１３を二つ折り時も外部から見えるように配置し、蓋部２と本体部３のそれぞれの充電池５６、４６の充電レベル状態や着信時の相手の電話番号及び受信電波強度などが表示されるため、蓋部２を開くことなく必要な情報を知ることができる。
【００８２】
また、二つ折りした状態でも、イヤホンマイク２３０をイヤホン端子２１に接続しておくことにより、着信時に通話を行なうことができ、利便性が向上されている。
【００８３】
更に、二つ折り時に、蓋部２に搭載している充電池５６は本体部に搭載している充電池４６により充電されるため、蓋部２に搭載している充電池５６を意識することなく、充電池４６に外部より充電するだけで、２個の充電池５６、４６の充電を行なうことができる。
【００８４】
また、撮像部４は回転可能に取り付けてあるため、蓋部２が開いた状態、蓋部２が閉じた状態及び蓋部２と本体部３が分離したいずれの状態でも撮像部４の撮像レンズを被写体に向けて、撮影することができる。
【００８５】
（第２の実施の形態）
図１６は、本発明の無線通信端末の第２の実施の形態に係る本体部の回路構成を、図１７は、本発明の無線通信端末の第２の実施の形態に係る蓋部の回路構成を示したブロック図である。但し、図６に示した第１の実施の形態と同様の部分には同一符号を付し、適宜その説明を省略する。
【００８６】
本実施の形態の無線通信端末は、テレビ電話機能を有し、そのため、図１６の本体部３１０に符号化復号化処理部４７と、図１７の蓋部２００に符号化復号化処理部６２を図６に示した第１の実施の形態の回路構成に追加した構成を有し、他の構成は第１の実施の形態と同様である。
【００８７】
図１８は上記した第２の実施の形態における無線通信端末１の使用状態例を示し、蓋部２００と本体部３１０が切り離された状態の第３のモードで使用される。蓋部２００の表示部７には撮像部４にて撮像された動画像が表示される動画像表示領域７１が設定されている。
【００８８】
次に本実施の形態の動作について図１９に示したフローチャートを参照して説明する。ステップＳ１０１で、本体部３１０の無線送受信部３８がビデオフォンモードで発信先電話番号と制御コードをアンテナ１５から、無線通信端末１外部の通信サービス事業者の携帯電話システムに無線基地局（不図示）を介して送信し、ステップＳ１０２でネゴシエーション処理、すなわち発信先電話番号にて接続される通信相手への呼び出し処理を開始する。一方、通信サービス事業者は、無線通信端末１より発信先電話番号と制御コードとを受け取ることにより、制御コードにしたがって今回の呼び出し処理が通常の音声通話ではなくテレビ電話による通信の要求であると判断し、接続されているテレビ電話システム（不図示）に発信先電話番号を送出する。そして通話先から応答があった場合、これを無線通信端末１に送信する。
【００８９】
ステップＳ１０３で本体部３１０の制御部３１は、この応答を無線送受信部３８及び無線信号処理部３９を介して検出すると、ステップ１０４で近接無線処理部４４によりアンテナ４５から応答検出信号Ｒ１を蓋部２００に出力する。蓋部２００の制御部５１はアンテナ５５と近接無線処理部５４を介してこれを受信したことを検出すると、第１の実施の形態とは異なり、ファイル転送プロファイルで本体部３１０とデータ通信を行うものと判断し、ステップＳ１１５で、撮像部４、マイク１０を起動する。尚、この処理は外観上は第３のモードであるが、マイク１０の入力が異なるので第４のモード処理とする。
【００９０】
以降、蓋部２００では、ステップＳ１１６で、撮像部４によってリアルタイムで画像を順次取り込むと共にマイク１０にて音声を取り込み、ステップＳ１１７で取り込んだ画像を表示部７の動画像表示領域７１に表示させる。これと同時に、符号化復号化処理部６２はステップＳ１１８で、これらの画像、音声データを符号化し、ステップＳ１１９で近接無線処理部５４により本体部３１０に無線信号Ｒ３として出力する。
【００９１】
一方、本体部３１０では、無線送受信部３８がステップＳ１０５にて、受信タイミングで通話相手からの動画データを受信した場合、制御部３１はステップＳ１０６でこれをコピーすると共に、ステップＳ１０７で一方を本体部３１０の符号化復号化処理部４７で復号化し、他方のデータはファイル転送プロファイルによって近接無線通信処理部４４から蓋部２００に転送（Ｒ２）する。
【００９２】
これと同時に、音声信号処理部４１はステップＳ１０８でこの復号化データの中から音声データのみを抽出し、ステップＳ１０９でＡ／Ｄ変換してイヤホン２３にて出力する。
【００９３】
蓋部２００の制御部５１はステップＳ１２０で、本体部３１０から送られてくる上記した他方のデータの入力を近接通信無線処理部５４を介して受信したことを検出すると、ステップＳ１２１で割込み処理を開始し、ステップＳ１２２で他方のデータを符号化復号化処理部６２で復号化する。制御部５１はステップＳ１２３で、復号化したデータの中から画像（動画像）データのみを抽出し、ステップＳ１２４でこの画像（動画像）データを表示ドライバ５８により表示部７の動画像表示領域７１に表示する。
【００９４】
これら本体部３１０からの受信（ファイル転送）が終わると、蓋部２００はステップＳ１２５にて一連の割込み処理（この割込み処理中に撮像部４、マイク１０にて取りこんだデータはＲＡＭ５２にバッファリングされる）を終了し、ステップＳ１２６でファイル転送の受信終了かどうか判断し、受信終了でない場合はステップＳ１１６の処理に戻り、受信終了の場合はステップＳ１２７で撮像部４、マイク１０の起動を終了する。
【００９５】
本体部３１０の制御部３１はステップＳ１１０で、近接無線通信処理部４４がアンテナ４５を介して蓋部２００から符号化画像、音声データを受信したことを検出したかどうかを判断し、検出しない場合はステップＳ１１４の処理に進み、検出した場合はステップＳ１１１で割り込みを開始し、ステップＳ１１２に進む。
【００９６】
制御部３１はステップＳ１１２で、符号化画像、音声データをＲＡＭ３２にバッファリングし、送信タイミングで無線信号処理部３９の処理を経て、無線送受信部３８よりアンテナ１５を介してテレビ電話システムに送信してステップＳ１１３で割り込みを終了し、ステップＳ１１４の処理に進む。
【００９７】
制御部３１はステップＳ１１４で、オンフック若しくは通話相手からの通話終了を検出しない場合はステップＳ１０５の処理に戻り、検出すると、テレビ電話通話を終了する。
【００９８】
本実施の形態によれば、二つ折り可能な無線通信端末１の蓋部２００を本体部３１０から離し、蓋部２００を自分の前方に持ってきて自分を撮影することができるため、無線通信端末１によりテレビ電話通話を容易且つ無理なく行うことができる。
【００９９】
（第３の実施の形態）
図２０は、本発明の無線通信端末の第３の実施の形態に係る蓋部の回路構成を示したブロック図である。但し、図６に示した第１の実施の形態と同様の部分には同一符号を付し、適宜その説明を省略する。
【０１００】
本実施の形態の無線通信端末は、蓋部２１０に無線ＬＡＮ接続機能及びＰＤＡ機能を備えたポータブルマルチメディアプレーヤーを想定した例であり、不図示のホットスポットから無線ＬＡＮにてダウンロードしたマルチメディアデータを再生する機能を有している。
【０１０１】
従って、本実施の形態の無線通信端末の蓋部２１０には撮像部及びＤＳＰが無い代わりに、無線ＬＡＮ接続用（ＩＥＥＥ８０２．１１ａ規格５ＧＨｚ帯域を使用）のアンテナ６５と無線通信処理部６４とを備え、更に、操作部６６とＲＯＭ６３が追加されているが、他の構成は第１の実施の形態と同様である。
【０１０２】
図２１は本実施の形態の蓋部２１０の外観例であり、操作部６６のスイッチとして、決定キ−６６１、キャンセルキ−６６２、シーソースイッチ６６３（メニュー選択で使用）が設けられている。
【０１０３】
図２２は上記したＲＯＭ６３のメモリ領域例を示した模式図である。ＲＯＭ６３には、オペレーティングシステム領域６３１、無線ネットワークシステム領域６３２、アプリケーションプログラム領域６３３が設定されている。無線ネットワークシステム設定プログラム領域６３２には、例えば屋外のホットスポットを利用してインターネット上の任意のサーバにアクセスする際、プロバイダと接続するための手順（ＩＰアドレスの取得等）を実行するためのプログラムが格納されている。アプリケーションプログラム領域６３３にはインターネットブラウザやマルチメディアプレーヤーなどが格納されている。
【０１０４】
次に本実施の形態の動作について説明する。蓋部２１０を例えばホットスポットや無線ＬＡＮに対応するターミナルの近くに持って行き、無線通信端末をマルチメディアモードにすると、無線通信処理部６４はアンテナ６５からインターネットのプロバイダに対して認証処理を行い、所望のＷｅｂサーバ（例えば音楽は配信サイト等）にアクセスする。ユーザはアクセスしたサイトのホーム頁などに表示されている所望のメニューを操作部６６のシーソースイッチ６６３で選択して決定キ−６６１を押すと、無線通信処理部６４は、無線ＬＡＮを介してアンテナ６５から決定したメニューに対応するマルチメディアデータをＲＡＭ５２にダウンロードする。
【０１０５】
その後、無線通信端末をマルチメディア再生モードにすると、制御部５１はＲＡＭ５２からダウンロードするマルチメディアデータを読み出し、画像データを表示ドライバ５８により表示部７で表示し、音声データを音声信号処理部５７でＤ／Ａ変換した後、スピーカ６から出力する。
【０１０６】
尚、音声データを近接無線通信処理部５４よりアンテナ５５を介して本体部（不図示）に送信し、この本体部に装着したイヤホンで聞くこともできる。
【０１０７】
本実施の形態によれば、本体部から蓋部２１０を外して蓋部２１０をポータブルマルチメディアプレーヤーとして使用することができる。
【０１０８】
尚、無線ＬＡＮを利用したＩＰ電話が昨今提案されているが、この第３の実施の形態でも、ＩＰ電話機能を実現させることは可能である。しかし、ＩＰ電話として通話可能となるのは第３のモードに限ることになる（マイクは１０、スピーカは６を使用）。
【０１０９】
尚、本発明は上記実施の形態に限定されることなく、その要旨を逸脱しない範囲において、具体的な構成、機能、作用、効果において、他の種々の状態によっても実施することができる。例えば、図２３に示すように第１の実施の形態の本体部３に第２の実施の形態の蓋部２００を装着して、静止画撮影ではなく、動画撮影及びメール添付機能を持たせたり、或いは、第１の実施の形態の本体部３に第３の実施の形態の蓋部２１０を装着して、静止画撮影ではなく、マルチメディアプレーヤーの機能を持たせることもできる。
【０１１０】
【発明の効果】
以上詳細に説明したように、請求項１、１０の発明によれば、蓋部と本体部のそれぞれに近接無線通信手段を設け且つ結合部に着脱手段を設けることにより、本体部から蓋部を分離しても本体部と蓋部の回路を一体に使用することができるため、本体部で通話中に、蓋部に付いている撮像手段を蓋部のみを持って自在に被写体の方へ向けて撮影することができ、通話中の撮影操作の操作性を著しく向上させることができる。
請求項２、３の発明によれば、蓋部の内蔵充電池は本体部から充電することができるため、本体部の内蔵充電池に外部から充電するだけで、蓋部の内蔵充電池も充電することができる。
請求項４の発明によれば、蓋部が開いた状態、蓋が閉じた状態、蓋が分離した状態のいずれでも通話を行なうことができる。
請求項５の発明によれば、蓋部が分離した状態で、蓋部の撮像手段により撮影した画像データを本体部に近接無線通信手段により送信し、本体部から相手先に送信することができるため、蓋部を自在に移動して任意のアングルで被写体を撮影することができる。
請求項６、７の発明によれば、相手の動画像を見ながら通話するテレビ電話機能を実現することができる。
請求項８の発明によれば、メールを送信することができる。
請求項９の発明によれば、蓋が開いた状態、蓋が閉じた状態、蓋が分離した状態のいずれでも撮影レンズ部を被写体に向けることができる。
【図面の簡単な説明】
【図１】本発明の無線通信端末の第１の実施の形態に係る構成を示した平面図と側面図である。
【図２】図１に示した無線通信端末の蓋部を閉めて折り畳んだ状態とした場合の外形例を示した平面図と側面図である。
【図３】図１及び図２に示した蓋部と本体部を回動可能に結合するヒンジ部分の回転部分の構造例を示した図である。
【図４】図１及び図２に示した蓋部と本体部とが離れた状態を示した平面図である。
【図５】図１及び図２に示した表示部の表示状態を示した図である。
【図６】図１及び図２に示した無線通信端末の回路構成例を示したブロック図である。
【図７】図６に示したＲＡＭの記憶領域例を示した構成図である。
【図８】図７に示したモードフラグエリアの構成例を示した図である。
【図９】図７に示したアドレス帳格納領域の格納データ例を示した図である。
【図１０】図６に示した蓋部と本体部の充電池に対する充電動作を示したフローチャートである。
【図１１】無線通信端末の蓋部が本体部に対して閉じた状態の第１のモードにある時の動作を示したフローチャートである。
【図１２】蓋部が本体部に対して開いている第２のモードにおける動作を示したフローチャートである。
【図１３】蓋部と本体部が切り離された第３のモードにおける端末の動作を示したフローチャートである。
【図１４】本無線通信端末の通話中の撮影動作例を示したフローチャートである。
【図１５】第１の実施の形態の無線通信端末の第２のモードと第３のモードの使用形態を示した図である。
【図１６】本発明の無線通信端末の第２の実施の形態に係る本体部の回路構成を示したブロック図である。
【図１７】本発明の無線通信端末の第２の実施の形態に係る蓋部の回路構成を示したブロック図である。
【図１８】第２の実施の形態における無線通信端末の第３のモードにおける使用形態例を示した図である。
【図１９】第２の実施の形態の無線通信端末の動作手順を示したフローチャートである。
【図２０】本発明の無線通信端末の第３の実施の形態に係る蓋部の回路構成を示したブロック図である。
【図２１】第３の実施の形態の蓋部の外観例を示した平面図である。
【図２２】図２０に示したＲＯＭ６３のメモリ領域例を示した模式図である。
【図２３】無線通信端末の本体部に交換用の複数の蓋部を着脱する形態を示した図である。
【符号の説明】
１  無線通信端末
２、２００、２１０  蓋部
３、３１０  本体部
４  撮像部
５  報知ランプ
６、１７  スピーカ
７、１３  表示部
８  シャッターボタン
９、１４、１９、２０  コネクタ
１０、１８、２３１  マイク
１１  着脱スイッチ
１２  ヒンジカバー
１５、４５、５５  アンテナ
１６  キー操作部
２１  イヤホン端子
２２  ストラップ接続部材
２３  イヤホン
３１、５１  制御部
３２、５２  ＲＡＭ
３３  ＲＯＭ
３４  キー入力部
３５、５８  表示ドライバ
３６  音源回路部
３７、６１  ドライバ
３８  無線送受信部
３９  無線信号処理部
４０  外部インターフェイス
４１、５７  音声信号処理部
４２  検出部
４３、５３  電源監視部
４４、５４  近接無線通信処理部
４６、５６  充電池
４７、６２  符号化復号化処理部
５９  ＤＳＰ
６０  シャッターボタン検出部
２３０  イヤホンマイク
２３２  スイッチ
２３３  発音部
３０１、３０５  マイクロスイッチ
４００、５００  バス
４４１、５４１  デバイスＩＤ記憶部
【図１】
2004165705.tif 000003
【図２】
2004165705.tif 000004
【図３】
2004165705.tif 000005
【図４】
2004165705.tif 000006
【図５】
2004165705.tif 000007
【図６】
2004165705.tif 000008
【図７】
2004165705.tif 000009
【図８】
2004165705.tif 000010
【図９】
2004165705.tif 000011
【図１０】
2004165705.tif 000012
【図１１】
2004165705.tif 000013
【図１２】
2004165705.tif 000014
【図１３】
2004165705.tif 000015
【図１４】
2004165705.tif 000016
【図１５】
2004165705.tif 000017
【図１６】
2004165705.tif 000018
【図１７】
2004165705.tif 000019
【図１８】
2004165705.tif 000020
【図１９】
2004165705.tif 000021
【図２０】
2004165705.tif 000022
【図２１】
2004165705.tif 000023
【図２２】
2004165705.tif 000024
【図２３】
2004165705.tif 000025